(57)【要約】【課題】異なる種類の画像形成方式によって画像を形成する複数の画像形成部を有し、一枚の媒体に複数種類の画像形成方法による画像を形成し、オリジナルの画像を識別することができるようにする。【解決手段】上位装置１１から入力されたデータに基づいて、媒体の同一ページに、第１画像形成部及び第２画像形成部によって画像形成を行う画像形成装置１２であって、前記第２画像形成部は、前記第１画像形成部の形成する画像と異なる識別画像を形成する。【選択図】          図１
2004262099.tif 000002
【特許請求の範囲】
【請求項１】
（ａ）上位装置から入力されたデータに基づいて、媒体の同一ページに、第１画像形成部及び第２画像形成部によって画像形成を行う画像形成装置であって、
（ｂ）前記第２画像形成部は、前記第１画像形成部の形成する画像と異なる識別画像を形成することを特徴とする画像形成装置。
【請求項２】
前記識別画像は、オリジナルを識別するための画像である請求項１に記載の画像形成装置。
【請求項３】
前記第１画像形成部及び第２画像形成部のうちの一つは、インパクト機構を備え、一枚以上の感圧媒体を重ねて画像を形成する請求項１に記載の画像形成装置。
【請求項４】
前記第１画像形成部及び第２画像形成部のうちの少なくとも一つは、着色機構を備える請求項１に記載の画像形成装置。
【請求項５】
前記第１画像形成部及び第２画像形成部のうちの少なくとも一つは、前記媒体を変形させる媒体変形部を備える請求項１に記載の画像形成装置。
【請求項６】
前記媒体変形部は、前記媒体を打つインパクト機構である請求項５に記載の画像形成装置。
【請求項７】
前記インパクト機構は、着色機構によって画像形成される媒体面とは逆の側から媒体面を打つ請求項６に記載の画像形成装置。
【請求項８】
前記媒体変形部は、前記媒体に穴を開ける穴開け機構である請求項５に記載の画像形成装置。
【請求項９】
前記第１画像形成部と第２画像形成部とは異なる種類の着色剤を用いて画像形成を行う請求項１に記載の画像形成装置。
【請求項１０】
あらかじめ第２のデータを記憶する記憶部を有し、前記第２画像形成部は前記第２のデータに基づいて画像形成を行う請求項１に記載の画像形成装置。
【発明の詳細な説明】
【０００１】
【発明の属する技術分野】
本発明は、画像形成装置に関するものである。
【０００２】
【従来の技術】
従来、画像形成装置においては、異なる種類の画像形成方法、すなわち、印刷方法を採用する製品が市販され、使用者によって用途に合わせた印刷方法を採用する製品が選択され、使用されている（例えば、特許文献１参照。）。
【０００３】
例えば、レーザプリンタ、ＬＥＤ（Ｌｉｇｈｔ  Ｅｍｉｔｔｉｎｇ  Ｄｉｏｄｅ）プリンタ等と称される電子写真方式の画像形成装置（以下「電子写真プリンタ」という。）においては、感光体ドラム表面に光を照射して潜像を形成し、該潜像に着色剤としてのトナーを付着させて現像し、該トナーを感光体ドラムから紙等の媒体に転写して印刷を行うようになっている。そして、電子写真プリンタは、一般に処理が高速で品質が良い印刷が可能であり、ビジネスユースを中心に普及している。
【０００４】
また、ドットインパクトプリンタと称される画像形成装置（以下「ＳＩＤＭ（Ｓｅｒｉａｌ  Ｉｍｐａｃｔ  Ｄｏｔ  Ｍａｔｒｉｘ）プリンタ」という。）は、インパクト機構を備え、着色剤としてのインクを染み込ませたリボンに前記インパクト機構のニードルピンを衝撃的に当接させて圧力を加え、紙等の媒体にインクを転写することによって、ドット（点）の集合からなる画像を形成して印刷を行う。そして、ＳＩＤＭプリンタにおいては、媒体を複数枚重ねた状態で使用すると、重ねた媒体のすべてに対して打撃部材による圧力を加わえることができるので、媒体として複写用紙を重ねて使用することによって複写を行うことができる。そのため、ＳＩＤＭプリンタは、複写用紙を使用して複製を残すような用途で使用され、オフィスユースが主流である。
【０００５】
さらに、インクジェットプリンタと称される画像形成装置（以下「ＩＪ（Ｉｎｋ  Ｊｅｔ）プリンタ」という。）は、印刷ヘッドに形成された小さなノズルから着色剤としてのインクの粒子を噴出し、紙等の媒体にインクのドットの集合からなる画像を形成して印刷を行う。前記ＩＪプリンタは、インクの噴出方法によって、ピエゾ方式のプリンタとサーマルインクジェット方式のプリンタとに大別されるが、比較的廉価な製品が多く、パーソナルユースを中心に急速な勢いで普及している。
【０００６】
さらに、熱転写プリンタと称される画像形成装置は、発熱体を備えるサーマルヘッドをフィルム状のインクリボンに当接して該インクリボンを加熱して紙等の媒体に着色剤としてのインクを転写することによって、画像を形成して印刷を行う。熱転写プリンタは、解像度が非常に高く、シャープな印刷が得られる。
【０００７】
【特許文献１】
特開平９−１６９４７４号公報
【０００８】
【発明が解決しようとする課題】
しかしながら、前記従来の画像形成装置においては、一台の画像形成装置によって一種類の印刷結果しか得ることができない。そのため、例えば、電子写真プリンタやＩＪプリンタは、媒体として複写用紙を使用して複製を残すような用途に使用することができない。また、紙等の媒体に印刷された印刷画像は、コピー機によって容易に複製が可能であり、オリジナルの印刷画像とコピーされた複製としての印刷画像とを見分けることが困難である。
【０００９】
本発明は、前記従来の画像形成装置の問題点を解決して、異なる種類の画像形成方式によって画像を形成する複数の画像形成部を有し、一枚の媒体に複数種類の画像形成方法による画像を形成し、オリジナルの画像を識別することができるようにする画像形成装置を提供することを目的とする。
【００１０】
【課題を解決するための手段】
そのために、本発明の画像形成装置においては、上位装置から入力されたデータに基づいて、媒体の同一ページに、第１画像形成部及び第２画像形成部によって画像形成を行う画像形成装置であって、前記第２画像形成部は、前記第１画像形成部の形成する画像と異なる識別画像を形成する。
【００１１】
【発明の実施の形態】
以下、本発明の実施の形態について図面を参照しながら詳細に説明する。
【００１２】
なお、本実施の形態において、「印刷」という語は、紙等の媒体に穴を開けることや、凹凸を付けることも含むものとする。
【００１３】
図１は本発明の第１の実施の形態における画像形成装置と上位装置とのデータのやり取りを示す図、図２は本発明の第１の実施の形態における画像形成装置の画像形成部の配置を示す図である。
【００１４】
図１において、１１は画像を形成するためのデータとしての印刷データを作成する上位装置であり、１２は該上位装置１１から受信した印刷データに基づいて、画像を形成する、すなわち、印刷を行う画像形成装置である。なお、図１においては、前記印刷データがデータ１及びデータ２を含む例が示されている。ここで、前記上位装置１１は、ＣＰＵ、ＭＰＵ等の演算手段、磁気ディスク、半導体メモリ等の記憶手段、ＣＲＴ、液晶ディスプレイ等の表示手段、キーボード等の入力手段、通信インターフェイス等を備えるコンピュータであり、例えば、パーソナルコンピュータ、サーバ、ワークステーション等であるが、いかなる装置であってもよい。なお、前記上位装置１１は複数台であってもよいが、本実施の形態においては、一台である場合についてのみ説明する。すなわち、前記画像形成装置１２は、印刷元としての一台の上位装置１１から印刷データを受信して印刷を行う。なお、印刷データの一部は、画像形成装置１２の内部に格納されていてもよいものとする。
【００１５】
また、前記画像形成装置１２は、図２に示されるように、第１画像形成部としてのＩＪプリンタと同じ機構（以下「ＩＪプリンタ機構部」という。）２１を有し、第２画像形成部としてのＳＩＤＭプリンタと同じ機構（以下「ＳＩＤＭプリンタ機構部」という。）２２を有する。そして、前記画像形成装置１２は、ネットワークやプリンタケーブルによって、前記上位装置１１に通信可能に接続されている。なお、前記ネットワークは、有線又は無線の通信回線網であり、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネット、インターネット等であるがいかなる種類の通信回線網であってもよく、複数の通信回線網から成るものであってもよい。
【００１６】
そして、前記画像形成装置１２において、紙等の媒体２３は、ローラ２４ａ及びローラ２４ｂによって位置ａから位置ｂの方向に搬送される。なお、前記ローラ２４ａ及びローラ２４ｂを統合的に説明する場合は、ローラ２４として説明する。この場合、ローラ２４は、第１のセンサ２５が検出した媒体２３の位置に基づいて、該媒体２３を所定の位置にまで搬送するように作動する。そして、前記媒体２３が所定の位置にまで搬送されると、ＩＪプリンタ機構部２１は、上位装置１１から受信した第１の印刷データ（以下「データ１」という。）に基づいて、前記媒体２３に印刷を行う。
【００１７】
同様に、前記ローラ２４は、第２のセンサ２６が検出した媒体２３の位置に基づいて、該媒体２３を所定の位置にまで搬送するように作動する。そして、前記媒体２３が所定の位置にまで搬送されると、ＳＩＤＭプリンタ機構部２２は、上位装置１１から受信した第２の印刷データ（以下「データ２」という。）に基づいて、前記媒体２３に印刷を行う。これにより、一枚の媒体２３、すなわち、媒体２３の同一ページ内にデータ１及びデータ２を印刷することができる。
【００１８】
次に、前記ＩＪプリンタ機構部２１の構造について説明する。
【００１９】
図３は本発明の第１の実施の形態におけるＩＪプリンタ機構部の斜視図である。
【００２０】
ＩＪプリンタ機構部２１は、媒体２３を着色する着色機構を備え、図に示されるように、キャリッジ３１には各色のインクタンク３１ａが実装され、キャリッジ３１の下部には図示されない印刷ヘッドが搭載されている。また、キャリッジ３１は、キャリッジシャフト３２に摺（しゅう）動（スライド）可能に取り付けられ、キャリッジシャフト３２に沿って軸方向（矢印ｃ、ｄ方向）に往復しながら媒体２３に印刷を行う。
【００２１】
次に、前記ＳＩＤＭプリンタ機構部２２の構造について説明する。
【００２２】
図４は本発明の第１の実施の形態におけるＳＩＤＭプリンタ機構部の斜視図である。
【００２３】
ＳＩＤＭプリンタ機構部２２は、媒体２３を変形させる媒体変形部を備え、前記ＩＪプリンタ機構部２１の形成する画像と異なる識別画像を形成する。なお、前記媒体変形部は、具体的には、媒体２３を打つインパクト機構である。そして、前記ＳＩＤＭプリンタ機構部２２は、図に示されるように、キャリッジ４０を有し、該キャリッジ４０は、キャリッジシャフト４１に摺動可能に取り付けられ、図示されないラインフィードモータを駆動することによってキャリッジシャフト４１に沿って摺動させられる。前記キャリッジ４０には印刷ヘッド４９が搭載され、キャリッジシャフト４１の軸方向に往復しながら媒体２３に印刷を行う。
【００２４】
図５は本発明の第１の実施の形態における画像形成装置の構成を示すブロック図である。
【００２５】
図５に示されるように、本実施の形態における画像形成装置１２は、上位装置１１から印刷データを受信するデータ受信部５０、ＩＪプリンタ機構部２１、ＳＩＤＭプリンタ機構部２２及び用紙走行系５９を有する。
【００２６】
そして、前記ＩＪプリンタ機構部２１は、ＩＪプリンタ機構制御部５１、ＩＪプリンタ機構印刷部５２及びＩＪプリンタ印刷位置記憶部５３を有する。前記ＩＪプリンタ機構制御部５１は、上位装置１１から送信された印刷データの中のデータ１をデータ受信部５０から受信し、前記データ１に基づいて、ＩＪプリンタ機構印刷部５２及びＩＪプリンタ印刷位置記憶部５３の動作を制御する。また、ＩＪプリンタ機構印刷部５２は、前記ＩＪプリンタ機構制御部５１の制御に従って、媒体２３に印刷を行う。なお前記ＩＪプリンタ印刷位置記憶部５３は、前記データ１において指定された媒体２３においてＩＪプリンタ機構印刷部５２が印刷を行う位置を記憶する。
【００２７】
また、前記ＳＩＤＭプリンタ機構部２２は、ＳＩＤＭプリンタ機構制御部５５、ＳＩＤＭプリンタ機構印刷部５６及びＳＩＤＭプリンタ印刷位置記憶部５７を有する。前記ＳＩＤＭプリンタ機構制御部５５は、上位装置１１から送信された印刷データの中のデータ２をデータ受信部５０から受信し、前記データ２に基づいて、ＳＩＤＭプリンタ機構印刷部５６及びＳＩＤＭプリンタ印刷位置記憶部５７の動作を制御する。また、ＳＩＤＭプリンタ機構印刷部５６は、前記ＳＩＤＭプリンタ機構制御部５５の制御に従って、媒体２３に印刷を行う。なお、前記ＳＩＤＭプリンタ印刷位置記憶部５７は、前記データ２において指定された媒体２３においてＩＪプリンタ機構印刷部５６が印刷を行う位置を記憶する。
【００２８】
さらに、前記用紙走行系５９は、ローラ２４及び該ローラ２４を駆動する図示されない駆動装置を備える。また、上位装置１１は、操作者の操作に従って、ＩＪプリンタ機構部２１又はＳＩＤＭプリンタ機構部２２を使用して、媒体２３の特定の位置に印刷を行うことを画像形成装置１２に指示する印刷データとしてデータ１及びデータ２を作成し、前記画像形成装置１２に送信する。
【００２９】
次に、前記上位装置１１から送信される印刷データの構成について説明する。
【００３０】
図６は本発明の第１の実施の形態における印刷データの構成を示す図、図７は本発明の第１の実施の形態における印刷データの印刷結果の例を示す図である。
【００３１】
前記印刷データは、図６（ａ）に示されるように、ＩＪプリンタ機構部２１又はＳＩＤＭプリンタ機構部２２を選択するための印刷先機構部の情報（１）、印刷内容を媒体２３に印刷する印刷位置（２）、及び、媒体２３に印刷される印刷内容（３）によって構成される。
【００３２】
そして、ＩＪプリンタ機構部２１が受信するデータ１は、例えば、図６（ｂ）に示されるようになっている。この場合、印刷先機構部の情報（１）にはＩＪプリンタ機構部２１を選択することを示す「１」が格納され、印刷位置（２）には印刷内容を媒体２３に印刷する位置を示す座標データ「Ｘ＝５０、Ｙ＝５０」が格納され、印刷内容（３）には印刷される画像「Ａ」が格納されている。
【００３３】
また、ＳＩＤＭプリンタ機構部２２が受信するデータ２は、例えば、図６（ｃ）に示されるようになっている。この場合、印刷先機構部の情報（１）にはＳＩＤＭプリンタ機構部２２を選択することを示す「２」が格納され、印刷位置（２）には印刷内容を媒体２３に印刷する位置を示す座標データ「Ｘ＝１００、Ｙ＝１００」が格納され、印刷内容（３）には印刷される画像「Ｂ」が格納されている。
【００３４】
そして、図６（ｂ）及び図６（ｃ）に示されるデータ１及びデータ２に従って印刷が行われた結果は図７に示されるようになっている。すなわち、文字Ａは前記ＩＪプリンタ機構部２１によって印刷され、文字ＢはＳＩＤＭプリンタ機構部２２によって印刷される。
【００３５】
この場合、前記上位装置１１から送信された印刷データがデータ受信部５０によって受信されると、印刷先機構部の情報（１）に基づいて、ＩＪプリンタ機構部２１が受信すべきデータ１の印刷位置（２）及び印刷内容（３）は、ＩＪプリンタ機構制御部５１に送信され、ＳＩＤＭプリンタ機構部２２が受信すべきデータ２の印刷位置（２）及び印刷内容（３）は、ＳＩＤＭプリンタ機構制御部５５に送信される。なお、前記上位装置１１から送信された印刷データに印刷先機構部の情報（１）が存在しない場合には、すべての機構制御部に印刷位置（２）と印刷内容（３）とが送信される。
【００３６】
そして、ＩＪプリンタ機構制御部５１に送信されたデータ１の印刷内容（３）は、ＩＪプリンタ機構印刷部５２と用紙走行系５９とが作動することによって媒体２３の印刷位置（２）に印刷される。また、ＳＩＤＭプリンタ機構制御部５５に送信されたデータ２の印刷内容（３）は、ＳＩＤＭプリンタ機構印刷部５６と用紙走行系５９とが作動することによって媒体２３の印刷位置（２）に印刷される。なお、前記ＩＪプリンタ印刷位置記憶部５３は、第１のセンサ２５がオフからオンになると０にリセットされ、その後、ローラ２４が回転し、媒体２３が１ドットライン分進む度に１ずつ加算されていく。同様に、前記ＳＩＤＭプリンタ印刷位置記憶部５７は、第２のセンサ２６がオフからオンになると０にリセットされ、その後、ローラ２４が回転し、媒体２３が１ドットライン分進む度に１ずつ加算されていく。
【００３７】
次に、前記印刷データの印刷結果について説明する。
【００３８】
図８は本発明の第１の実施の形態における印刷を行うことによる媒体の変化を示す図、図９は本発明の第１の実施の形態における印刷を行ったオリジナルの媒体と複製との相違を示す図である。
【００３９】
本実施の形態において使用する媒体２３は、図８（ａ）に示されるように、単票の普通紙であり、白紙であるものとする。そして、画像形成装置１２によって、図８（ａ）に示されるような媒体２３に印刷を行うと、図８（ｂ）に示されるように、印刷箇所６１及び印刷箇所６２に印刷内容が印刷される。ここで、前記印刷箇所６１における本文は、ＩＪプリンタ機構部２１によって印刷が行われ、印刷箇所６２における発行元、発行年月日、発行Ｎｏ．等のオリジナルを識別するための画像としての識別画像は、ＳＩＤＭプリンタ機構部２２によって印刷が行われる。
【００４０】
そして、図示されないコピー機を使用して、図８（ｂ）に示されるような印刷後の媒体２３のコピーを行うと、図８（ｃ）に示されるように、印刷箇所６３に本文の印刷画像を備え、印刷箇所６４に識別画像の印刷画像を備える媒体２３が得られる。ここで、図８（ｂ）に示されるような印刷後の媒体２３、すなわち、オリジナルの印刷画像を備える媒体２３と、図８（ｃ）に示されるような媒体２３、すなわち、複製された印刷画像を備える媒体２３とを比較すると、表面上の印刷結果は全く同一に見える。
【００４１】
しかし、媒体２３を側面から見ると、オリジナルの印刷画像を備える媒体２３の側面は図９（ａ）に示されるようになり、複製された印刷画像を備える媒体２３の側面は図９（ｂ）に示されるようになる。すなわち、オリジナルの印刷画像を備える媒体２３におけるＳＩＤＭプリンタ機構部２２を使用して印刷された識別画像の印刷箇所６２は、図９（ａ）に示されるように、その印刷方式の特色によって裏面に凹んだ印刷結果となる。それに対し、複製された印刷画像を備える媒体２３における識別画像の印刷箇所６４は、図９（ｂ）に示されるように、コピー元のオリジナルの印刷画像を備える媒体２３の凹みを複製することができず、平らな状態となる。そのため、識別画像の印刷箇所に凹みがあるか否かに基づいて、オリジナルの印刷画像を備える媒体２３と複製された印刷画像を備える媒体２３とを識別することができる。
【００４２】
次に、前記構成の画像形成装置１２の動作について説明する。
【００４３】
図１０は本発明の第１の実施の形態における画像形成装置の各部の動作を示すタイムチャート、図１１は本発明の第１の実施の形態における画像形成装置の動作を示す第１のフローチャート、図１２は本発明の第１の実施の形態における画像形成装置の動作を示す第２のフローチャートである。
【００４４】
まず、上位装置１１から印刷データが送信されると、データ受信部５０が前記印刷データを受信する。そして、前記データ受信部５０は、印刷データの受信を終了すると、印刷データに含まれるデータの印刷先機構部の情報（１）を読み出し、該印刷先機構部の情報（１）が１であるか２であるかを判断する。
【００４５】
続いて、前記データ受信部５０は、印刷先機構部の情報（１）が１である場合、印刷データはＩＪプリンタ機構部２１で印刷を行うデータ１であると判断し、印刷位置（２）及び印刷内容（３）を含むデータ１をＩＪプリンタ機構部２１に送信する。そして、ＩＪプリンタ機構部２１は、受信したデータ１を処理し、印刷内容（３）を、印刷を行うラスタデータに展開して記憶する。また、前記データ受信部５０は、印刷先機構部の情報（１）が２である場合、印刷データはＳＩＤＭプリンタ機構部２２で印刷を行うデータ２であると判断し、印刷位置（２）及び印刷内容（３）を含むデータ２をＳＩＤＭプリンタ機構部２２に送信する。そして、ＳＩＤＭプリンタ機構部２２は、受信したデータ２を処理し、印刷内容（３）を、印刷を行うラスタデータに展開して記憶する。
【００４６】
続いて、前記データ受信部５０は、上位装置１１からすべての印刷データの受信が終了したか否かを判断し、終了していない場合は印刷データの受信を継続する。また、すべての印刷データの受信が終了している場合、ＩＪプリンタ機構部２１及びＳＩＤＭプリンタ機構部２２は、ウォームアップ動作を行う。
【００４７】
続いて、用紙走行系５９が作動し、ローラ２４が回転し媒体２３を１ドットラインに相当する距離だけ搬送する。そして、ＩＪプリンタ印刷位置記憶部５３及びＳＩＤＭプリンタ印刷位置記憶部５７は１を加算する。続いて、ＩＪプリンタ機構部２１は、第１のセンサ２５が媒体２３の先端を検出したか否かを判断する。そして、検出した場合、すなわち、第１のセンサ２５の出力が媒体２３がないことを示す状態から媒体２３があることを示す状態に変化した場合、ＩＪプリンタ印刷位置記憶部５３は０にリセットされる。
【００４８】
次に、ＩＪプリンタ機構部２１は、図１０に示されるように、第１のセンサ２５の位置からＩＪプリンタ機構部２１の位置までの時間ｔ１に対応する距離を加えた範囲に対応するデータ１を読み出し、ＩＪプリンタ印刷位置記憶部５３に記憶したライン、すなわち、現ラインに対応する印刷データ（データ１）があるか否かを判断する。そして、現ラインに対応する印刷データがある場合は該当するラインに対応する印刷内容（３）の印刷を行う。
【００４９】
続いて、ＳＩＤＭプリンタ機構部２２は、第２のセンサ２６が媒体２３の先端を検出したか否かを判断する。そして、検出した場合、すなわち、第２のセンサ２６の出力が媒体２３がないことを示す状態から媒体２３があることを示す状態に変化した場合、ＳＩＤＭプリンタ印刷位置記憶部５７は０にリセットされる。
【００５０】
次に、ＳＩＤＭプリンタ機構部２２は、図１０に示されるように、第２のセンサ２６の位置からＳＩＤＭプリンタ機構部２２の位置までの時間ｔ２に対応する距離を加えた範囲に対応するデータ２を読み出し、ＳＩＤＭプリンタ印刷位置記憶部５７に記憶したライン、すなわち、現ラインに対応する印刷データ（データ２）があるか否かを判断する。そして、現ラインに対応する印刷データがある場合は該当するラインに対応する印刷内容（３）の印刷を行う。
【００５１】
続いて、画像形成装置１２は、すべての印刷データの印刷が終了した否か、すなわち、ＩＪプリンタ機構部２１用のデータ１及びＳＩＤＭプリンタ機構部２２用のデータ２の印刷が終了したか否かを判断する。そして、終了した場合、図１０に示されるように、第２のセンサ２６からローラ２４までの距離に媒体２３の搬送方向の距離を加えた媒体搬出距離を求め、該媒体搬出距離とＳＩＤＭプリンタ印刷位置記憶部５７から求めた残媒体搬出距離に対応する時間ｔ３を求め、ローラ２４を時間ｔ３だけ回転させて媒体２３を排出する。
【００５２】
次に、フローチャートについて説明する。
ステップＳ１  データ受信部５０は印刷データを受信する。
ステップＳ２  印刷先機構部の情報（１）が１であるか２であるかを判断する。
１である場合はステップＳ３に進み、２である場合はステップＳ５に進む。
ステップＳ３  ＩＪプリンタ機構部２１にデータ１を送信する。
ステップＳ４  ＩＪプリンタ機構部２１はデータ１の処理を行う。
ステップＳ５  ＳＩＤＭプリンタ機構部２２にデータ２を送信する。
ステップＳ６  ＳＩＤＭプリンタ機構部２２はデータ２の処理を行う。
ステップＳ７  すべての印刷データの受信が終了したか否かを判断する。すべてのデータ受信が終了している場合はステップＳ８に進み、すべてのデータ受信が終了していない場合はステップＳ１に戻る。
ステップＳ８  ＩＪプリンタ機構部２１及びＳＩＤＭプリンタ機構部２２のウォームアップ動作を行う。
ステップＳ９  ローラ２４を回転させる。
ステップＳ１０  第１のセンサ２５が媒体２３の先端を検出したか否かを判断する。第１のセンサ２５が媒体２３の先端を検出した場合はステップＳ１１に進み、第１のセンサ２５が媒体２３の先端を検出していない場合はステップＳ１２に進む。
ステップＳ１１  ＩＪプリンタ印刷位置記憶部５３を０にリセットする。
ステップＳ１２  現ラインのＩＪプリンタ機構部２１の印刷データがあるか否かを判断する。印刷データがある場合はステップＳ１３に進み、印刷データがない場合はステップＳ１４に進む。
ステップＳ１３  ＩＪプリンタ機構部２１は該当するラインの印刷を行う。
ステップＳ１４  第２のセンサ２６が媒体２３の先端を検出したか否かを判断する。第２のセンサ２６が媒体２３の先端を検出した場合はステップＳ１５に進み、第２のセンサ２６が媒体２３の先端を検出していない場合はステップＳ１６に進む。
ステップＳ１５  ＳＩＤＭプリンタ印刷位置記憶部５７を０にリセットする。
ステップＳ１６  現ラインのＳＩＤＭプリンタ機構部２２の印刷データがあるか否かを判断する。印刷データがある場合はステップＳ１７に進み、印刷データがない場合はステップＳ１８に進む。
ステップＳ１７  ＳＩＤＭプリンタ機構部２２は該当するラインの印刷を行う。
ステップＳ１８  ＩＪプリンタ機構部２１用の印刷データ及びＳＩＤＭプリンタ機構部２２用のすべての印刷データの印刷が終了したか否かを判断する。終了している場合はステップＳ１９に進み、終了していない場合はステップＳ９に戻る。
ステップＳ１９  媒体２３の排出処理を行い、処理を終了する。
【００５３】
このように、本実施の形態において、ＳＩＤＭプリンタ機構部２２が印刷を行ったオリジナルの印刷画像を識別するための識別画像の印刷箇所６２は、ＩＪプリンタ機構部２１が印刷を行った本文の印刷箇所６１部分とは相違する印刷結果になる。また、相違はコピー機によって複製することができないので、オリジナルの印刷画像を備える媒体２３と複製された印刷画像を備える媒体２３とを識別することができる。さらに、媒体２３の一部分だけにＳＩＤＭプリンタ機構部２２が印刷を行うので、印刷速度の低下を最小限にした上で複製を防止することができる。
【００５４】
次に、本発明の第２の実施の形態について説明する。なお、第１の実施の形態と同じ構造を有するものについては、同じ符号を付与することによってその説明を省略する。また、第１の実施の形態と同じ動作及び効果についてもその説明を省略する。
【００５５】
図１３は本発明の第２の実施の形態における画像形成装置の画像形成部の配置を示す図である。
【００５６】
図１３に示されるように、画像形成装置７１は、第１画像形成部としての電子写真プリンタと同じ機構（以下「電子写真プリンタ機構部」という。）７２を有し、第２画像形成部としてのＳＩＤＭプリンタ機構部２２を有する。
【００５７】
そして、媒体２３はローラ２４によって位置ａから位置ｂの方向に搬送される。前記媒体２３の位置を検出する第１のセンサ２５とローラ２４ａ及びローラ２４ｂとによって媒体２３を適切な位置に移動させ、電子写真プリンタ機構部７２でデータ１の印刷を行う。
【００５８】
同様に、媒体２３の位置を検出する第２のセンサ２６とローラ２７ａ及びローラ２７ｂとによって媒体２３を適切な位置に移動させ、ＳＩＤＭプリンタ機構部２２でデータ２の印刷を行う。なお、前記ローラ２７ａ及びローラ２７ｂを統合的に説明する場合は、ローラ２７として説明する。
【００５９】
これにより、媒体２３の同一ページ内にデータ１及びデータ２を印刷することができる。
【００６０】
次に、前記電子写真プリンタ機構部７２について説明する。
【００６１】
図１４は本発明の第２の実施の形態における電子写真プリンタ機構部の斜視図である。
【００６２】
図に示されるように、電子写真プリンタ機構部７２は、本体部８１及びプロセスユニット８２を有し、前記本体部８１はＬＥＤヘッド８３（本実施の形態においては、ＬＥＤが使用される。）等を備え、前記プロセスユニット８２は感光体ドラム８４等の画像形成プロセス部品を備える。
【００６３】
そして、表面が帯電させられた感光体ドラム８４がＬＥＤヘッド８３によって露光され、感光体ドラム８４の表面に静電潜像が形成される。そして、該静電潜像に図示されないトナーが付着させられてトナー像が形成され、該トナー像が媒体２３に転写され、定着され、印刷される。
【００６４】
なお、第２画像形成部としてのＳＩＤＭプリンタ機構部２２の構造については、前記第１の実施の形態と同様であるので説明を省略する。
【００６５】
ところで、前記ローラ２４は連続回転する。また、前記ローラ２７はステップ駆動が行われ、回転と停止とが繰り返される。なお、ローラ２７の平均搬送速度はローラ２４の平均搬送速度と同じである。前記ローラ２４が連続回転することによって電子写真プリンタ機構部７２は連続して印刷を行い、ローラ２７が停止中にＳＩＤＭプリンタ機構部２２は１ライン分の印刷を行う。ただし、電子写真プリンタ機構部７２とＳＩＤＭプリンタ機構部２２との間には搬送速度の差を吸収するために媒体２３に屈曲部、すなわち、弛（たる）みを形成する。
【００６６】
図１５は本発明の第２の実施の形態における媒体の弛みの変化の例を示す図である。
【００６７】
まず、図１５（ａ）に示されるように、媒体２３がローラ２４ｂとローラ２７ａとの間に渡った状態となると、ローラ２７ａを停止させておく。これにより、ローラ２４ｂが１ドットライン分以上媒体２３を繰り出すので、図１５（ｂ）に示されるように、弛みαが形成される。
【００６８】
続いて、図１５（ｃ）及び図１５（ｄ）に示されるように、ローラ２７ａが回転することによって、弛みαが減少していく。そして、図１５（ｅ）に示されるように、ローラ２７ａが停止することによって、弛みαが復活する。
【００６９】
図１６は本発明の第２の実施の形態における画像形成装置の構成を示すブロック図である。
【００７０】
図１６に示されるように、画像形成装置７１は、データ受信部５０、電子写真プリンタ機構部７２、ＳＩＤＭプリンタ機構部２２及び用紙走行系５９を有する。そして、前記電子写真プリンタ機構部７２は、電子写真プリンタ機構制御部７３、電子写真プリンタ機構印刷部７４及び電子写真プリンタ印刷位置記憶部７５を有する。また、ＳＩＤＭプリンタ機構部２２は、ＳＩＤＭプリンタ機構制御部５５、ＳＩＤＭプリンタ機構印刷部５６及びＳＩＤＭプリンタ印刷位置記憶部５７を有する。
【００７１】
ここで、前記電子写真プリンタ機構制御部７３は、上位装置１１から送信された印刷データの中のデータ１をデータ受信部５０から受信し、前記データ１に基づいて、電子写真プリンタ機構印刷部７４及び電子写真プリンタ印刷位置記憶部７５の動作を制御する。また、電子写真プリンタ機構印刷部７４は、前記電子写真プリンタ機構制御部７３の制御に従って、媒体２３に印刷を行う。なお、前記電子写真プリンタ印刷位置記憶部７５は、前記データ１において指定された媒体２３において電子写真プリンタ機構印刷部７４が印刷を行う位置を記憶する。
【００７２】
さらに、前記用紙走行系５９は、ローラ２４及びローラ２７並びに前記ローラ２４及びローラ２７を駆動する図示されない駆動装置を備える。また、上位装置１１は、操作者の操作に従って、電子写真プリンタ機構部７２又はＳＩＤＭプリンタ機構部２２を使用して、媒体２３の特定の位置に印刷を行うことを画像形成装置１２に指示する印刷データとしてデータ１及びデータ２を作成し、前記画像形成装置１２に送信する。なお、印刷データの構成については、前記第１の実施の形態と同様であるので説明を省略する。
【００７３】
この場合、前記上位装置１１から送信された印刷データがデータ受信部５０によって受信されると、印刷先機構部の情報（１）に基づいて、電子写真プリンタ機構部７２が受信すべきデータ１の印刷位置（２）及び印刷内容（３）は、電子写真プリンタ機構制御部７３に送信され、ＳＩＤＭプリンタ機構部２２が受信すべきデータ２の印刷位置（２）及び印刷内容（３）は、ＳＩＤＭプリンタ機構制御部５５に送信される。なお、前記上位装置１１から送信された印刷データに印刷先機構部の情報（１）が存在しない場合には、すべての機構制御部に印刷位置（２）と印刷内容（３）とが送信される。本実施の形態におけるアルゴリズムは、前記第１の実施の形態と同様であるので説明を省略する。
【００７４】
そして、電子写真プリンタ機構制御部７３に送信されたデータ１の印刷内容（３）は、電子写真プリンタ機構印刷部７４と用紙走行系５９とが作動することによって媒体２３の印刷位置（２）に印刷される。また、ＳＩＤＭプリンタ機構制御部５５に送信されたデータ２の印刷内容（３）は、ＳＩＤＭプリンタ機構印刷部５６と用紙走行系５９とが作動することによって媒体２３の印刷位置（２）に印刷される。
【００７５】
次に、前記印刷データの印刷結果について説明する。
【００７６】
図１７は本発明の第２の実施の形態における印刷を行うことによる一枚目の媒体の変化を示す第１の図、図１８は本発明の第２の実施の形態における印刷を行うことによる二枚目の媒体の変化を示す第２の図である。
【００７７】
本実施の形態において、媒体２３は、二枚一組であり、感圧媒体としての媒体２３の先端が糊（のり）付けされているという形態の複写用紙であり、一枚目の媒体２３ａへの印刷時の加圧した箇所については、二枚目の媒体２３ｂにも同じように印刷される。
【００７８】
印刷を行う前において、一枚目の媒体２３ａ及び二枚目の媒体２３ｂは、それぞれ、図１７（ａ）及び図１７（ｂ）に示されるように、白紙である。そして、画像形成装置７１によって印刷が行われると、一枚目の媒体２３ａには、図１８（ａ）に示されるように、印刷箇所６１及び印刷箇所６２に印刷内容が印刷される。ここで、前記印刷箇所６１における本文は、電子写真プリンタ機構部７２によって印刷が行われ、印刷箇所６２における発行元、発行年月日、発行Ｎｏ．等のオリジナルを識別するための識別画像は、ＳＩＤＭプリンタ機構部２２によって印刷が行われる。その結果、二枚目の媒体２３ｂには、図１８（ｂ）に示されるように、印刷箇所６５に前記印刷箇所６２と同様の識別画像が印刷される。
【００７９】
すなわち、本実施の形態において、第２画像形成部としてのＳＩＤＭプリンタ機構印刷部５６はインパクト機構を備え、一枚以上の感圧媒体を重ねて画像を形成するようになっている。
【００８０】
次に、前記構成の画像形成装置７１の動作について説明する。
【００８１】
図１９は本発明の第２の実施の形態における画像形成装置の各部の動作を示すタイムチャート、図２０は本発明の第２の実施の形態における画像形成装置の動作を示す第１のフローチャート、図２１は本発明の第２の実施の形態における画像形成装置の動作を示す第２のフローチャートである。
【００８２】
まず、上位装置１１から印刷データが送信されると、データ受信部５０が前記印刷データを受信する。そして、前記データ受信部５０は、印刷データの受信を終了すると、印刷データに含まれるデータの印刷先機構部の情報（１）を読み出し、該印刷先機構部の情報（１）が１であるか２であるかを判断する。
【００８３】
続いて、前記データ受信部５０は、印刷先機構部の情報（１）が１である場合、印刷データは電子写真プリンタ機構部７２で印刷を行うデータ１であると判断し、印刷位置（２）及び印刷内容（３）を含むデータ１を電子写真プリンタ機構部７２に送信する。そして、電子写真プリンタ機構部７２は、受信したデータ１を処理し、印刷内容（３）を、印刷を行うラスタデータに展開して記憶する。また、前記データ受信部５０は、印刷先機構部の情報（１）が２である場合、印刷データはＳＩＤＭプリンタ機構部２２で印刷を行うデータ２であると判断し、印刷位置（２）及び印刷内容（３）を含むデータ２をＳＩＤＭプリンタ機構部２２に送信する。そして、ＳＩＤＭプリンタ機構部２２は、受信したデータ２を処理し、印刷内容（３）を、印刷を行うラスタデータに展開して記憶する。
【００８４】
続いて、前記データ受信部５０は、上位装置１１からすべての印刷データの受信が終了したか否かを判断し、終了していない場合は印刷データの受信を継続する。また、すべての印刷データの受信が終了している場合、電子写真プリンタ機構部７２及びＳＩＤＭプリンタ機構部２２は、ウォームアップ動作を行う。
【００８５】
続いて、用紙走行系５９が作動し、ローラ２４が回転し媒体２３を１ドットラインに相当する距離だけ搬送する。そして、電子写真プリンタ印刷位置記憶部７５は１を加算する。続いて、電子写真プリンタ機構部７２は、第１のセンサ２５が媒体２３の先端を検出したか否かを判断する。そして、検出した場合、すなわち、第１のセンサ２５の出力が媒体２３がないことを示す状態から媒体２３があることを示す状態に変化した場合、電子写真プリンタ印刷位置記憶部７５は０にリセットされる。
【００８６】
次に、電子写真プリンタ機構部７２は、図１９に示されるように、第１のセンサ２５の位置から電子写真プリンタ機構部７２の位置までの時間ｔ１に対応する距離を加えた範囲に対応するデータ１を読み出し、電子写真プリンタ印刷位置記憶部７５に記憶したライン、すなわち、現ラインに対応する印刷データ（データ１）があるか否かを判断する。そして、現ラインに対応する印刷データがある場合は該当するラインに対応する印刷内容（３）の印刷を行う。
【００８７】
続いて、ＳＩＤＭプリンタ機構部２２は、第２のセンサ２６が媒体２３の先端を検出したか否かを判断する。そして、検出した場合、すなわち、第２のセンサ２６の出力が媒体２３がないことを示す状態から媒体２３があることを示す状態に変化した場合、ＳＩＤＭプリンタ印刷位置記憶部５７は０にリセットされる。
【００８８】
続いて、ＳＩＤＭプリンタ機構部２２は、第２のセンサ２６からローラ２７ａまでの距離が、ローラ２７ｂに引っ張られることを予測した１ドットライン分進む距離以上のマージンを加算した値（図１９に示されるｔ４に対応する距離）よりも大きいか否かを判断し、大きい場合は、ローラ２７ａを駆動して１ドットライン分だけ回転させ、ＳＩＤＭプリンタ印刷位置記憶部５７の数値を１ドットライン分加算する。
【００８９】
続いて、ＳＩＤＭプリンタ機構部２２は、図１９に示されるように、第２のセンサ２６の位置からＳＩＤＭプリンタ機構部２２の位置までの時間ｔ２に対応する距離及び弛みのマージンを加えた範囲に対応するデータ２を読み出し、ＳＩＤＭプリンタ印刷位置記憶部５７に記憶したライン、すなわち、現ラインに対応する印刷データ（データ２）があるか否かを判断する。そして、現ラインに対応する印刷データがある場合は該当するラインに対応する印刷内容（３）の印刷を行う。
【００９０】
続いて、画像形成装置７１は、すべての印刷データの印刷が終了した否か、すなわち、電子写真プリンタ機構部７２用のデータ１及びＳＩＤＭプリンタ機構部２２用のデータ２の印刷が終了したか否かを判断する。そして、終了した場合、図１９に示されるように、第２のセンサ２６からローラ２７ｂまでの距離に媒体２３の搬送方向の距離を加えた媒体搬出距離を求め、該媒体搬出距離とＳＩＤＭプリンタ印刷位置記憶部５７から求めた残媒体搬出距離に対応する時間ｔ３を求め、ローラ２４を時間ｔ３だけ回転させて媒体２３を排出する。
【００９１】
次に、フローチャートについて説明する。
ステップＳ２１  データ受信部５０は印刷データを受信する。
ステップＳ２２  印刷先機構部の情報（１）が１であるか２であるかを判断する。１である場合はステップＳ２３に進み、２である場合はステップＳ２５に進む。
ステップＳ２３  電子写真プリンタ機構部７２にデータ１を送信する。
ステップＳ２４  電子写真プリンタ機構部７２はデータ１の処理を行う。
ステップＳ２５  ＳＩＤＭプリンタ機構部２２にデータ２を送信する。
ステップＳ２６  ＳＩＤＭプリンタ機構部２２はデータ２の処理を行う。
ステップＳ２７  すべての印刷データの受信が終了したか否かを判断する。すべてのデータ受信が終了している場合はステップＳ２８に進み、すべてのデータ受信が終了していない場合はステップＳ２１に戻る。
ステップＳ２８  電子写真プリンタ機構部７２及びＳＩＤＭプリンタ機構部２２のウォームアップ動作を行う。
ステップＳ２９  ローラ２４を回転させる。
ステップＳ３０  第１のセンサ２５が媒体２３の先端を検出したか否かを判断する。第１のセンサ２５が媒体２３の先端を検出した場合はステップＳ３１に進み、第１のセンサ２５が媒体２３の先端を検出していない場合はステップＳ３２に進む。
ステップＳ３１  電子写真プリンタ印刷位置記憶部７５を０にリセットする。
ステップＳ３２  現ラインの電子写真プリンタ機構部７２の印刷データがあるか否かを判断する。印刷データがある場合はステップＳ３３に進み、印刷データがない場合はステップＳ３４に進む。
ステップＳ３３  電子写真プリンタ機構部７２は該当するラインの印刷を行う。
ステップＳ３４  第２のセンサ２６が媒体２３の先端を検出したか否かを判断する。第２のセンサ２６が媒体２３の先端を検出した場合はステップＳ３５に進み、第２のセンサ２６が媒体２３の先端を検出していない場合はステップＳ３６に進む。
ステップＳ３５  ＳＩＤＭプリンタ印刷位置記憶部５７を０にリセットする。
ステップＳ３６  第２のセンサ２６からローラ２７ａまでの距離が値ｔ４に対応する距離より大きいか否かを判断する。大きい場合はステップＳ３７に進み、小さい場合はステップＳ３８に進む。
ステップＳ３７  ローラ２７ａを回転させる。
ステップＳ３８  現ラインのＳＩＤＭプリンタ機構部２２の印刷データがあるか否かを判断する。印刷データがある場合はステップＳ３９に進み、印刷データがない場合はステップＳ４０に進む。
ステップＳ３９  ＳＩＤＭプリンタ機構部２２は該当するラインの印刷を行う。
ステップＳ４０  電子写真プリンタ機構部７２用の印刷データ及びＳＩＤＭプリンタ機構部２２用のすべての印刷データの印刷が終了したか否かを判断する。終了している場合はステップＳ４１に進み、終了していない場合はステップＳ２９に戻る。
ステップＳ４１  媒体２３の排出処理を行い、処理を終了する。
【００９２】
このように、本実施の形態において、ＳＩＤＭプリンタ機構部２２が印刷を行ったオリジナルの印刷画像を識別するための識別画像の印刷箇所６２は、複写用紙にコピーを残すことができる。そのため、署名や書類の発行日等の複写が必要な識別画像の部分だけをＳＩＤＭプリンタ機構部２２を使用して印刷することによって、印刷速度の低下を最小限にした上で、複写用紙を使用して書類の管理及びセキュリティを高めている分野での利用が可能となる。
【００９３】
また、ＳＩＤＭプリンタ機構部２２だけで印刷を行う場合より細かい解像度での印刷を行うことによって、本文をきめ細かく印刷することもできる。
【００９４】
なお、本実施の形態においては、二枚一組で媒体２３の先端が糊付けされているという最も単純な形態の複写用紙を使用したが、複写用紙はいかなる形態のものであってもよく、本実施の形態に限定されるものではない。また、媒体２３の搬送についても、本実施の形態においては媒体２３が普通紙である場合と同様に、二枚重ねのまま給紙し、二枚重ねのまま排出を行っているが、給紙や排出の経路が異なっていてもよい。
【００９５】
次に、本発明の第３の実施の形態について説明する。なお、第１及び第２の実施の形態と同じ構造を有するものについては、同じ符号を付与することによってその説明を省略する。また、第１及び第２の実施の形態と同じ動作及び効果についてもその説明を省略する。
【００９６】
図２２は本発明の第３の実施の形態における画像形成装置の画像形成部の配置を示す図である。
【００９７】
図２２に示されるように、画像形成装置８１は、第１画像形成部としての電子写真プリンタ機構部７２を有し、第２画像形成部としてのＳＩＤＭプリンタ機構部２２を有する。また、画像形成装置８１は、前記電子写真プリンタ機構部７２とＳＩＤＭプリンタ機構部２２との間に媒体反転部２８を有する。該媒体反転部２８は、反転ローラ２８ａ及びスイッチバック２８ｂを備え、媒体２３の裏表を反転する。
【００９８】
そして、媒体２３はローラ２４によって位置ａから位置ｂの方向に搬送される。前記媒体２３の位置を検出する第１のセンサ２５とローラ２４ａとによって媒体２３が適切な位置に搬送されると、電子写真プリンタ機構部７２は上位装置１１から受信したデータ１の印刷を行う。
【００９９】
また、媒体反転部２８は、反転ローラ２８ａ及びスイッチバック２８ｂを用いて媒体２３の裏表を反転させる。その後、媒体２３の位置を検出する第２のセンサ２６とローラ２４ｂとによって媒体２３が適切な位置に搬送されると、ＳＩＤＭプリンタ機構部２２がデータ２の印刷を行う。
【０１００】
なお、第１画像形成部としての電子写真プリンタ機構部７２の構造については、前記第２の実施の形態と同様であり、第２画像形成部としてのＳＩＤＭプリンタ機構部２２の構造については、前記第１及び第２の実施の形態と同様であるので説明を省略する。ただし、ＳＩＤＭプリンタ機構部２２においては、インクリボンは搭載しないものとする。
【０１０１】
次に、前記媒体反転部２８について説明する。
【０１０２】
図２３は本発明の第３の実施の形態における画像形成装置の側面図である。
【０１０３】
画像形成装置８１において、両面印刷を行う場合は、一方の面に電子写真プリンタ機構部７２で印刷が行われた後の媒体２３は、主搬送路に沿って搬送され、スイッチバック２８ｂ並びに反転ローラ２８ａによって上方に送られた後、該反転ローラ２８ａを完全に通過する前に停止させられる。
【０１０４】
そして、スイッチバック２８ｂによって搬送路が切替わり、前記反転ローラ２８ａが逆方向に回転させられると、媒体２３はＳＩＤＭプリンタ機構部２２に送られる。なお、前記スイッチバック２８ｂは、媒体２３の搬送される向きに合わせて角度を変え、媒体２３の搬送方向を切り替える。
【０１０５】
図２４は本発明の第３の実施の形態における画像形成装置の構成を示すブロック図である。
【０１０６】
図２４に示されるように、画像形成装置８１は、データ受信部５０、電子写真プリンタ機構部７２、ＳＩＤＭプリンタ機構部２２及び用紙走行系５９を有する。そして、前記電子写真プリンタ機構部７２は、電子写真プリンタ機構制御部７３及び電子写真プリンタ機構印刷部７４を有する。また、ＳＩＤＭプリンタ機構部２２は、ＳＩＤＭプリンタ機構制御部５５及びＳＩＤＭプリンタ機構印刷部５６を有する。
【０１０７】
さらに、用紙走行系５９は媒体反転部２８を有する。また、上位装置１１は、操作者の操作に従って、電子写真プリンタ機構部７２又はＳＩＤＭプリンタ機構部２２を使用して、媒体２３の特定の位置に印刷を行うことを画像形成装置８１に指示する印刷データとしてデータ１及びデータ２を作成し、前記画像形成装置８１に送信する。なお、印刷データの構成については、前記第１の実施の形態と同様であるので説明を省略する。
【０１０８】
この場合、前記上位装置１１から送信された印刷データがデータ受信部５０によって受信されると、印刷先機構部の情報（１）に基づいて、電子写真プリンタ機構部７２が受信すべきデータ１の印刷位置（２）及び印刷内容（３）は、電子写真プリンタ機構制御部７３に送信され、ＳＩＤＭプリンタ機構部２２が受信すべきデータ２の印刷位置（２）及び印刷内容（３）は、ＳＩＤＭプリンタ機構制御部５５に送信される。なお、前記上位装置１１から送信された印刷データに印刷先機構部の情報（１）が存在しない場合には、すべての機構制御部に印刷位置（２）と印刷内容（３）とが送信される。本実施の形態におけるアルゴリズムは、前記第１の実施の形態と同様であるので説明を省略する。
【０１０９】
そして、電子写真プリンタ機構制御部７３に送信されたデータ１の印刷内容（３）は、電子写真プリンタ機構印刷部７４と用紙走行系５９とが作動することによって媒体２３の印刷位置（２）に印刷される。また、ＳＩＤＭプリンタ機構制御部５５に送信されたデータ２の印刷内容（３）は、ＳＩＤＭプリンタ機構印刷部５６と用紙走行系５９とが作動することによって媒体２３の印刷位置（２）に印刷される。さらに、電子写真プリンタ機構部７２で印刷が行われた媒体２３は、媒体反転部２８によって裏表の反転が行われる。これにより、ＳＩＤＭプリンタ機構印刷部５６の備えるインパクト機構は、電子写真プリンタ機構部７２の備える着色機構によって画像形成される媒体２３面とは逆の側から媒体２３面を打つことができる。
【０１１０】
次に、前記印刷データの印刷結果について説明する。
【０１１１】
図２５は本発明の第３の実施の形態における印刷を行うことによる媒体の変化を示す図、図２６は本発明の第３の実施の形態における識別画像の拡大図、図２７は本発明の第３の実施の形態における印刷後の媒体の側面図である。
【０１１２】
本実施の形態において使用する媒体２３は、図２５（ａ）に示されるように、単票の普通紙であり、白紙であるものとする。ここで、前記印刷箇所８８における本文、発行元、発行年月日、発行Ｎｏ．等は、電子写真プリンタ機構部７２によって印刷が行われ、印刷箇所８９におけるオリジナルを識別するための識別画像は、ＳＩＤＭプリンタ機構部２２によって印刷が行われる。
【０１１３】
この場合、図２７に示されるように、ＳＩＤＭプリンタ機構部２２によって印刷が行われた印刷箇所８９には凸部が多く存在する。媒体２３を側面から見ると、ＳＩＤＭプリンタ機構部２２を使用して印刷された識別画像の印刷画像の印刷箇所８９には、その印刷方式の特色によって表面に凸部が形成される。
【０１１４】
次に、前記構成の画像形成装置８１の動作について説明する。
【０１１５】
図２８は本発明の第３の実施の形態における画像形成装置の各部の動作を示すタイムチャート、図２９は本発明の第３の実施の形態における画像形成装置の動作を示すフローチャートである。
【０１１６】
本実施の形態においては、まず、電子写真プリンタ機構部７２用の印刷データとしてのデータ１が受信され、印刷を行う位置まで媒体２３が搬送されて、電子写真プリンタ機構制御部７３及び電子写真プリンタ機構印刷部７４によって印刷が行われる。そして、電子写真プリンタ機構部７２による印刷が終了した後、媒体反転部２８によって媒体２３の表裏が反転される。続いて、媒体２３が反転された後、ＳＩＤＭプリンタ機構部２２用の印刷データとしてのデータ２が受信され、印刷を行う位置まで媒体２３が搬送され、ＳＩＤＭプリンタ機構制御部５５及び電子写真プリンタ機構印刷部５６によって印刷が行われる。そして、図２８に示されるように、ＳＩＤＭプリンタ機構部２２の印刷が終了してから時間ｔ１が経過した後に、媒体２３の排出が完了する。
【０１１７】
すなわち、まず、上位装置１１から印刷データが送信されると、データ受信部５０が前記印刷データを受信する。そして、前記データ受信部５０は、印刷データの受信を終了すると、印刷データに含まれるデータの印刷先機構部の情報（１）を読み出し、該印刷先機構部の情報（１）が１であるか２であるかを判断する。
【０１１８】
続いて、前記データ受信部５０は、印刷先機構部の情報（１）が１である場合、印刷データは電子写真プリンタ機構部７２で印刷を行うデータ１であると判断し、印刷位置（２）及び印刷内容（３）を含むデータ１を電子写真プリンタ機構部７２に送信する。そして、電子写真プリンタ機構部７２は、受信したデータ１を処理し、印刷内容（３）の印刷を行う。
【０１１９】
続いて、印刷が行われた後、媒体２３は媒体反転部２８に搬送される。該媒体反転部２８は媒体２３を反転する処理を行う。
【０１２０】
また、前記データ受信部５０は、印刷先機構部の情報（１）が２である場合、印刷データはＳＩＤＭプリンタ機構部２２で印刷を行うデータ２であると判断し、印刷位置（２）及び印刷内容（３）を含むデータ２をＳＩＤＭプリンタ機構部２２に送信する。そして、ＳＩＤＭプリンタ機構部２２は、受信したデータ２を処理し、印刷内容（３）の印刷を行う。
【０１２１】
次に、フローチャートについて説明する。
ステップＳ５１  データ受信部５０は印刷データを受信する。
ステップＳ５２  印刷先機構部の情報（１）が１であるか２であるかを判断する。１である場合はステップＳ５３に進み、２である場合はステップＳ５６に進む。
ステップＳ５３  電子写真プリンタ機構部７２にデータ１を送信する。
ステップＳ５４  電子写真プリンタ機構部７２は電子写真プリンタ機構部処理を行う。
ステップＳ５５  媒体反転部２８は媒体反転部処理を行い、処理を終了する。
ステップＳ５６  ＳＩＤＭプリンタ機構部２２にデータ２を送信する。
ステップＳ５７  ＳＩＤＭプリンタ機構部２２はＳＩＤＭプリンタ機構部処理を行い、処理を終了する。
【０１２２】
次に、図２９のステップＳ５４における電子写真プリンタ機構部処理のサブルーチンについて説明する。
【０１２３】
図３０は本発明の第３の実施の形態における電子写真プリンタ機構部処理のサブルーチンを示す図である。
【０１２４】
まず、データ１の印刷位置（２）の情報が解析され、用紙走行系５９が印刷位置まで媒体２３を移動させる。その後、電子写真プリンタ機構印刷部７４が印刷を行う。
【０１２５】
次に、フローチャートについて説明する。
ステップＳ５４−１  データ１の印刷位置（２）の情報を解析する。
ステップＳ５４−２  印刷位置まで媒体２３を移動させる。
ステップＳ５４−３  電子写真プリンタ機構印刷部７４が印刷を行い、処理を終了する。
【０１２６】
次に、図２９のステップＳ５５における媒体反転部処理のサブルーチンについて説明する。
【０１２７】
図３１は本発明の第３の実施の形態における媒体反転部処理のサブルーチンを示す図である。
【０１２８】
この場合、電子写真プリンタ機構印刷部７４による印刷がすべて完了した後、媒体２３は媒体反転部２８に送られ、媒体２３の表裏の反転が行われる。
【０１２９】
次に、フローチャートについて説明する。
ステップＳ５５−１  媒体２３の裏表を反転し、処理を終了する。
【０１３０】
次に、図２９のステップＳ５７におけるＳＩＤＭプリンタ機構部処理のサブルーチンについて説明する。
【０１３１】
図３２は本発明の第３の実施の形態におけるＳＩＤＭプリンタ機構部処理のサブルーチンを示す図である。
【０１３２】
まず、データ２の印刷位置（２）の情報が解析され、用紙走行系５９が印刷位置まで媒体２３を移動させる。その後、ＳＩＤＭプリンタ機構印刷部５６が印刷を行う。
【０１３３】
次に、フローチャートについて説明する。
ステップＳ５７−１  データ２の印刷位置（２）の情報を解析する。
ステップＳ５７−２  印刷位置まで媒体２３を移動させる。
ステップＳ５７−３  ＳＩＤＭプリンタ機構印刷部５６で印刷を行い、処理を終了する。
【０１３４】
このように、本実施の形態においては、ＳＩＤＭプリンタ機構部２２で印刷された識別画像の部分は、インクによる印刷が行われないうえに、凸部が存在するので、コピー機による複製することができない。
【０１３５】
また、識別画像を手触りで確認することによって、オリジナルと複製とを識別することができる。
【０１３６】
次に、本発明の第４の実施の形態について説明する。なお、第１〜第３の実施の形態と同じ構造を有するものについては、同じ符号を付与することによってその説明を省略する。また、第１〜第３の実施の形態と同じ動作及び効果についてもその説明を省略する。
【０１３７】
さらに、本実施の形態における画像形成装置７１の画像形成部の配置については、前記第２の実施の形態と同様であるので、その説明を省略する。さらに、第１画像形成部としての電子写真プリンタ機構部７２の構造については前記第２の実施の形態と同様であり、第２画像形成部としてのＳＩＤＭプリンタ機構部２２の構造については前記第１の実施の形態と同様であるので、その説明を省略する。さらに、ローラ２４及びローラ２７の動作、並びに、画像形成装置７１の構成についても、前記第２の実施の形態と同様であるので、その説明を省略する。
【０１３８】
ここで、前記ＳＩＤＭプリンタ機構部２２の印刷ヘッド４９の構成について説明する。
【０１３９】
図３３は本発明の第４の実施の形態におけるＳＩＤＭプリンタ機構部の印刷ヘッドの断面図、図３４は本発明の第４の実施の形態におけるＳＩＤＭプリンタ機構部の印刷ヘッドのニードルピンの構成を示す図である。
【０１４０】
図３３に示されるように、ＳＩＤＭプリンタ機構部２２の印刷ヘッド４９は、ニードルピン３９を備え、該ニードルピン３９を軸方向に移動させて、媒体２３に衝撃的に当接させるようになっている。前記第１〜第３の実施の形態においては、ＳＩＤＭプリンタ機構部２２の印刷ヘッド４９が備えるニードルピン３９は、図３４（ａ）に示されるように、先端が平坦（たん）なものであるのに対し、本実施の形態において、前記ニードルピン３９は、図３４（ｂ）に示されるように、先端が尖（とが）った鋭利な形状を有するものであり、媒体２３を貫通することができる。すなわち、本実施の形態において、ＳＩＤＭプリンタ機構部２２の備える媒体変形部としてのニードルピン３９は、媒体２３に穴を開ける穴開け機構である。
【０１４１】
次に、印刷データの印刷結果について説明する。
【０１４２】
図３５は本発明の第４の実施の形態における印刷を行うことによる媒体の変化及び複製を示す図、図３６は本発明の第４の実施の形態における印刷を行ったオリジナルの媒体と複製との相違を示す拡大図である。
【０１４３】
本実施の形態において使用する媒体２３は、図３５（ａ）に示されるように、単票の普通紙であり、白紙であるものとする。そして、画像形成装置７１によって、図３５（ａ）に示されるような媒体２３に印刷を行うと、図３５（ｂ）に示されるように、印刷箇所９１及び印刷箇所９２に印刷内容が印刷される。ここで、前記印刷箇所９１における本文、発行元、発行年月日、発行Ｎｏ．等は、電子写真プリンタ機構部７２によって印刷が行われ、印刷箇所９２におけるのオリジナルを識別するための識別画像は、ＳＩＤＭプリンタ機構部２２によって印刷が行われる。
【０１４４】
そして、図示されないコピー機を使用して、図３５（ｂ）に示されるような印刷後の媒体２３のコピーを行うと、図３５（ｃ）に示されるように、印刷箇所９３に本文、発行元、発行年月日、発行Ｎｏ．等の印刷画像を備え、印刷箇所９４に識別画像の印刷画像を備える媒体２３が得られる。ここで、図３５（ｂ）に示されるような印刷後の媒体２３、すなわち、オリジナルの印刷画像を備える媒体２３と、図３５（ｃ）に示されるような媒体２３、すなわち、複製された印刷画像を備える媒体２３とを比較すると、表面上の印刷結果は全く同一に見える。
【０１４５】
しかし、媒体２３を詳細に見ると、オリジナルの印刷画像を備える媒体２３の印刷箇所９２における識別画像は図３６（ａ）に示されるようになり、複製された印刷画像を備える媒体２３の印刷箇所９４における識別画像は側面は図３６（ｂ）に示されるようになる。すなわち、オリジナルの印刷画像を備える媒体２３におけるＳＩＤＭプリンタ機構部２２を使用して印刷された識別画像は、図３６（ａ）に示されるように、穴が開いているのに対し、複製された印刷画像を備える媒体２３における識別画像は、図３６（ｂ）に示されるように、穴が開いておらず、薄暗い色で印刷されている。そのため、識別画像に穴が開いているか否かに基づいて、オリジナルの印刷画像を備える媒体２３と複製された印刷画像を備える媒体２３とを識別することができる。
【０１４６】
なお、本実施の形態における画像形成装置７１の動作については、前記第２の実施の形態と同様であるので、その説明を省略する。
【０１４７】
このように、本実施の形態においては、ＳＩＤＭプリンタ機構部２２が印刷を行ったオリジナルの識別画像には小さな穴が存在するので、オリジナルと複製とを容易に区別することができ、また、コピー機による複製を行うことができない。
【０１４８】
次に、本発明の第５の実施の形態について説明する。なお、第１〜第４の実施の形態と同じ構造を有するものについては、同じ符号を付与することによってその説明を省略する。また、第１〜第４の実施の形態と同じ動作及び効果についてもその説明を省略する。
【０１４９】
さらに、本実施の形態における画像形成装置７１の画像形成部の配置については、前記第２の実施の形態にと同様であるので、その説明を省略する。さらに、第１画像形成部としての電子写真プリンタ機構部７２の構造については前記第２の実施の形態と同様であり、第２画像形成部としてのＳＩＤＭプリンタ機構部２２の構造については前記第１の実施の形態と同様であるので、その説明を省略する。さらに、ローラ２４及びローラ２７の動作、並びに、画像形成装置７１の構成についても、前記第２の実施の形態と同様であるので、その説明を省略する。
【０１５０】
次に、印刷データの印刷結果について説明する。
【０１５１】
図３７は本発明の第５の実施の形態における印刷を行うことによる媒体の変化及び複製を示す図、図３８は本発明の第５の実施の形態における印刷を行ったオリジナルの媒体と複製との相違を示す拡大図である。
【０１５２】
本実施の形態において使用する媒体２３は、図３７（ａ）に示されるように、単票の普通紙であり、白紙であるものとする。そして、画像形成装置７１によって、図３７（ａ）に示されるような媒体２３に印刷を行うと、図３７（ｂ）に示されるように、印刷箇所１０１及び印刷箇所１０２に印刷内容が印刷される。ここで、前記印刷箇所１０１における本文、発行元、発行年月日、発行Ｎｏ．等は、電子写真プリンタ機構部７２によって印刷が行われ、印刷箇所１０２におけるオリジナルを識別するための識別画像は、ＳＩＤＭプリンタ機構部２２及び電子写真プリンタ機構部７２の両方によって印刷が行われる。
【０１５３】
そして、電子写真プリンタ機構部７２だけによって、図３７（ａ）に示されるような媒体２３に印刷を行うと、図３７（ｃ）に示されるように、印刷箇所１０３に本文、発行元、発行年月日、発行Ｎｏ．等の印刷画像を備え、印刷箇所１０４に識別画像の印刷画像を備える媒体２３が得られる。ここで、図３７（ｂ）に示されるような印刷後の媒体２３、すなわち、オリジナルの印刷画像を備える媒体２３と、図３７（ｃ）に示されるような媒体２３、すなわち、複製された印刷画像を備える媒体２３とを比較すると、表面上の印刷結果は全く同一に見える。
【０１５４】
しかし、媒体２３を詳細に見ると、オリジナルの印刷画像を備える媒体２３の印刷箇所１０２における識別画像は、ＳＩＤＭプリンタ機構部２２の特色であるドットによる印刷や凹み、使用するインクの差異等によって、図３８（ａ）に示されるようになるのに対し、電子写真プリンタ機構部７２だけで印刷を行った媒体２３の印刷箇所１０４における識別画像は側面は、図３８（ｂ）に示されるように、異なる印刷結果となる。
【０１５５】
なお、本実施の形態における画像形成装置７１の動作については、前記第２の実施の形態と同様であるので、その説明を省略する。
【０１５６】
このように、本実施の形態においては、識別画像の印刷結果が、メインの印刷機構である電子写真プリンタ機構７２とは異なる印刷方式のＳＩＤＭプリンタ機構部２２によって印刷されているので、オリジナルの書類であるか複製された書類であるかを識別することができる。例えば、社印の部分だけをＳＩＤＭプリンタ機構部２２を使用して印刷することによって、書類のセキュリティを高めることができる。また、識別画像を電子写真プリンタ機構７２及びＳＩＤＭプリンタ機構部２２の両方で印刷することによって、識別画像をきめ細かく印刷することができる。
【０１５７】
次に、本発明の第６の実施の形態について説明する。なお、第１〜第５の実施の形態と同じ構造を有するものについては、同じ符号を付与することによってその説明を省略する。また、第１〜第５の実施の形態と同じ動作及び効果についてもその説明を省略する。
【０１５８】
図３９は本発明の第６の実施の形態における画像形成装置の画像形成部の配置を示す図である。
【０１５９】
図３９に示されるように、画像形成装置１１１は、第１画像形成部としての電子写真プリンタ機構部７２を有し、第２画像形成部としての定形印刷機構部１１２を有する。そして、媒体２３はローラ２４によって位置ａから位置ｂの方向に搬送される。前記媒体２３の位置を検出する第１のセンサ２５とローラ２４ａとによって媒体２３が適切な位置に搬送されると、電子写真プリンタ機構部７２は上位装置１１から受信したデータ１の印刷を行う。同様に、前記媒体２３の位置を検出する第２のセンサ２６とローラ２４ｂとによって媒体２３が適切な位置に搬送されると、定形印刷機構部１１２はマーキングを行う。
【０１６０】
これにより、同一ページ内にデータ１及び定形マークが存在する印刷を行うことができる。
【０１６１】
なお、第１画像形成部としての電子写真プリンタ機構部７２の構造については、前記第２の実施の形態と同様であるので説明を省略する。
【０１６２】
次に、前記定形印刷機構部１１２について説明する。
【０１６３】
図４０は本発明の第６の実施の形態における定形印刷機構部の構成を示す図である。
【０１６４】
前記定形印刷機構部１１２は、正面から見ると、図４０（ａ）に示されるような構成を有し、上面から見ると、図４０（ｂ）に示されるような構成を有している。そして、定形印刷機構部１１２が媒体２３にマーキングを行うと、図４０（ｃ）に示されるような定形マークが印刷される。
【０１６５】
図４１は本発明の第６の実施の形態における画像形成装置の構成を示すブロック図である。
【０１６６】
図４１に示されるように、画像形成装置１１１は、データ受信部５０、電子写真プリンタ機構部７２、定形印刷機構部１１２、及び、用紙走行系５９を有する。そして、前記電子写真プリンタ機構部７２は、電子写真プリンタ機構制御部７３及び電子写真プリンタ機構印刷部７４を有する。また、定形印刷機構部１１２は、定形印刷機構制御部１１３及び定形印刷機構印刷部１１４を有する。
【０１６７】
また、上位装置１１は、操作者の操作に従って、電子写真プリンタ機構部７２又は定形印刷機構部１１２を使用して、媒体２３の特定の位置に印刷を行うことを画像形成装置１１１に指示する印刷データとしてデータ１及びデータ２を作成し、前記画像形成装置１１１に送信する。なお、印刷データの構成については、前記第１の実施の形態と同様であるので説明を省略する。
【０１６８】
この場合、前記上位装置１１から送信された印刷データがデータ受信部５０によって受信されると、電子写真プリンタ機構部７２が受信すべきデータ１は電子写真プリンタ機構制御部７３に送信され、定形印刷機構部１１２が受信すべきデータ２は、定形印刷機構制御部１１３に送信される。
【０１６９】
そして、電子写真プリンタ機構制御部７３に送信されたデータ１は、電子写真プリンタ機構印刷部７４と用紙走行系５９とが作動することによって媒体２３に印刷される。また、電子写真プリンタ機構部７２の印刷が終了した後、定形印刷機構印刷部１１４と用紙走行系５９とが作動することによって媒体２３にマーキングが行われる。
【０１７０】
次に、前記印刷データの印刷結果について説明する。
【０１７１】
図４２は本発明の第６の実施の形態における印刷を行うことによる媒体の変化を示す図である。
【０１７２】
本実施の形態において使用する媒体２３は、図４２（ａ）に示されるように、単票の普通紙であり、白紙であるものとする。ここで、前記印刷箇所１２１における本文、発行元、発行年月日、発行Ｎｏ．等は、電子写真プリンタ機構部７２によって印刷が行われ、印刷箇所１２２におけるオリジナルを識別するための識別画像である定形マークは、定形印刷機構部１１２がマーキングを行うことによって印刷される。
【０１７３】
次に、前記構成の画像形成装置１１１の動作について説明する。
【０１７４】
図４３は本発明の第６の実施の形態における画像形成装置の動作を示すタイムチャート、図４４は本発明の第６の実施の形態における画像形成装置の動作を示すフローチャートである。
【０１７５】
本実施の形態においては、まず、電子写真プリンタ機構部７２用の印刷データとしてのデータ１が受信され、印刷を行う位置まで媒体２３が搬送されて、電子写真プリンタ機構制御部７３及び電子写真プリンタ機構印刷部７４によって印刷が行われる。そして、電子写真プリンタ機構部７２の印刷が終了した後、媒体２３がマーキングを行う位置まで搬送され、定形印刷機構制御部１１３及び定形印刷機構印刷部１１４によってマーキングが行われる。そして、図４３に示されるよに、定形印刷機構部１１２の印刷が終了してから時間ｔ１が経過した後に、媒体２３の排出が完了する。
【０１７６】
すなわち、まず、上位装置１１から印刷データが送信されると、データ受信部５０が前記印刷データを受信する。そして、前記データ受信部５０は、印刷データの受信を終了すると、印刷データとしてのデータ１を電子写真プリンタ機構部７２に送信する。そして、電子写真プリンタ機構部７２は、電子写真プリンタ機構部処理を行いデータ１の印刷を行う。また、電子写真プリンタ機構部７２の電子写真プリンタ機構部処理が終了した後、定形印刷機構部１１２の定形印刷機構処理が行われる。
【０１７７】
次に、フローチャートについて説明する。
ステップＳ６１  データ受信部５０によって印刷データ受信を行う。
ステップＳ６２  電子写真プリンタ機構部７２にデータを送信する。
ステップＳ６３  電子写真プリンタ機構部７２は電子写真プリンタ機構部処理を行う。
ステップＳ６４  定形印刷機構部１１２は定形印刷機構部処理を行い、処理を終了する。
【０１７８】
次に、図４４のステップＳ６３における電子写真プリンタ機構部処理のサブルーチンについて説明する。
【０１７９】
図４５は本発明の第６の実施の形態における電子写真プリンタ機構部処理のサブルーチンを示す図である。
【０１８０】
まず、データ内の印刷位置（２）の情報が解析され、用紙走行系５９が印刷位置まで媒体２３を移動させる。その後、電子写真プリンタ機構印刷部７４が印刷を行う。
【０１８１】
次に、フローチャートについて説明する。
ステップＳ６３−１  データ内の印刷位置（２）の情報を解析する。
ステップＳ６３−２  印刷位置まで媒体２３を移動させる。
ステップＳ６３−３  電子写真プリンタ機構印刷部７４で印刷を行い、処理を終了する。
【０１８２】
次に、図４４のステップＳ６４における定形印刷機構部処理のサブルーチンについて説明する。
【０１８３】
図４６は本発明の第６の実施の形態における定形印刷機構部処理のサブルーチンを示す図である。
【０１８４】
この場合、定形印刷機構制御部１１３及び用紙走行系５９は印刷位置まで媒体２３を移動させ、定形印刷機構印刷部１１４がマーキングを行う。
【０１８５】
次に、フローチャートについて説明する。
ステップＳ６４−１  印刷位置まで媒体２３を移動させる。
ステップＳ６４−２  定形印刷機構印刷部１１４がマーキングを行う。
【０１８６】
このように、本実施の形態においては、媒体２３の一部に定形マークを印刷するマーキングを行うことができるので、オリジナルの書類であるか複製された書類であるかを識別することができ、書類のセキュリティを高めることができる。なお、定形マークの他の例としては、日付印や消印などが考えられ、日付印の場合、定形印刷機構印刷部１１４は、一般の日付印と同様に、ダイヤルを操作することによって手動で日付を変更することができるような機構を有することが望ましい。
【０１８７】
また、定形印刷機構印刷部１１４によって定形マークのマーキングを行う代わりに、前記第１〜第５の実施の形態において説明したＳＩＤＭプリンタ機構部２２を使用して印刷することもできる。この場合、ＳＩＤＭプリンタ機構部２２で印刷するデータは、ＰＣやＩＣカードなどの方法で外部から指定することもでき、また、内部に固定的に格納しておくこともできる。すなわち、画像形成装置１２は、あらかじめ第２の印刷データを記憶する記憶部を有し、前記第２画像形成部としてのＳＩＤＭプリンタ機構部２２は前記第２の印刷データに基づいて画像形成を行うものであってもよい。
【０１８８】
なお、本発明は前記実施の形態に限定されるものではなく、本発明の趣旨に基づいて種々変形させることが可能であり、それらを本発明の範囲から排除するものではない。
【０１８９】
【発明の効果】
以上詳細に説明したように、本発明によれば、画像形成装置においては、上位装置から入力されたデータに基づいて、媒体の同一ページに、第１画像形成部及び第２画像形成部によって画像形成を行う画像形成装置であって、前記第２画像形成部は、前記第１画像形成部の形成する画像と異なる識別画像を形成する。  この場合、前記識別画像によって、オリジナルと複製とを識別することができる。
【図面の簡単な説明】
【図１】本発明の第１の実施の形態における画像形成装置と上位装置とのデータのやり取りを示す図である。
【図２】本発明の第１の実施の形態における画像形成装置の画像形成部の配置を示す図である。
【図３】本発明の第１の実施の形態におけるＩＪプリンタ機構部の斜視図である。
【図４】本発明の第１の実施の形態におけるＳＩＤＭプリンタ機構部の斜視図である。
【図５】本発明の第１の実施の形態における画像形成装置の構成を示すブロック図である。
【図６】本発明の第１の実施の形態における印刷データの構成を示す図である。
【図７】本発明の第１の実施の形態における印刷データの印刷結果の例を示す図である。
【図８】本発明の第１の実施の形態における印刷を行うことによる媒体の変化を示す図である。
【図９】本発明の第１の実施の形態における印刷を行ったオリジナルの媒体と複製との相違を示す図である。
【図１０】本発明の第１の実施の形態における画像形成装置の各部の動作を示すタイムチャートである。
【図１１】本発明の第１の実施の形態における画像形成装置の動作を示す第１のフローチャートである。
【図１２】本発明の第１の実施の形態における画像形成装置の動作を示す第２のフローチャートである。
【図１３】本発明の第２の実施の形態における画像形成装置の画像形成部の配置を示す図である。
【図１４】本発明の第２の実施の形態における電子写真プリンタ機構部の斜視図である。
【図１５】本発明の第２の実施の形態における媒体の弛みの変化の例を示す図である。
【図１６】本発明の第２の実施の形態における画像形成装置の構成を示すブロック図である。
【図１７】本発明の第２の実施の形態における印刷を行うことによる一枚目の媒体の変化を示す第１の図である。
【図１８】本発明の第２の実施の形態における印刷を行うことによる二枚目の媒体の変化を示す第２の図である。
【図１９】本発明の第２の実施の形態における画像形成装置の各部の動作を示すタイムチャートである。
【図２０】本発明の第２の実施の形態における画像形成装置の動作を示す第１のフローチャートである。
【図２１】本発明の第２の実施の形態における画像形成装置の動作を示す第２のフローチャートである。
【図２２】本発明の第３の実施の形態における画像形成装置の画像形成部の配置を示す図である。
【図２３】本発明の第３の実施の形態における画像形成装置の側面図である。
【図２４】本発明の第３の実施の形態における画像形成装置の構成を示すブロック図である。
【図２５】本発明の第３の実施の形態における印刷を行うことによる媒体の変化を示す図である。
【図２６】本発明の第３の実施の形態における識別画像の拡大図である。
【図２７】本発明の第３の実施の形態における印刷後の媒体の側面図である。
【図２８】本発明の第３の実施の形態における画像形成装置の各部の動作を示すタイムチャートである。
【図２９】本発明の第３の実施の形態における画像形成装置の動作を示すフローチャートである。
【図３０】本発明の第３の実施の形態における電子写真プリンタ機構部処理のサブルーチンを示す図である。
【図３１】本発明の第３の実施の形態における媒体反転部処理のサブルーチンを示す図である。
【図３２】本発明の第３の実施の形態におけるＳＩＤＭプリンタ機構部処理のサブルーチンを示す図である。
【図３３】本発明の第４の実施の形態におけるＳＩＤＭプリンタ機構部の印刷ヘッドの断面図である。
【図３４】本発明の第４の実施の形態におけるＳＩＤＭプリンタ機構部の印刷ヘッドのニードルピンの構成を示す図である。
【図３５】本発明の第４の実施の形態における印刷を行うことによる媒体の変化及び複製を示す図である。
【図３６】本発明の第４の実施の形態における印刷を行ったオリジナルの媒体と複製との相違を示す拡大図である。
【図３７】本発明の第５の実施の形態における印刷を行うことによる媒体の変化及び複製を示すである。
【図３８】本発明の第５の実施の形態における印刷を行ったオリジナルの媒体と複製との相違を示す拡大図である。
【図３９】本発明の第６の実施の形態における画像形成装置の画像形成部の配置を示す図である。
【図４０】本発明の第６の実施の形態における定形印刷機構部の構成を示す図である。
【図４１】本発明の第６の実施の形態における画像形成装置の構成を示すブロック図である。
【図４２】本発明の第６の実施の形態における印刷を行うことによる媒体の変化を示す図である。
【図４３】本発明の第６の実施の形態における画像形成装置の動作を示すタイムチャートである。
【図４４】本発明の第６の実施の形態における画像形成装置の動作を示すフローチャートである。
【図４５】本発明の第６の実施の形態における電子写真プリンタ機構部処理のサブルーチンを示す図である。
【図４６】本発明の第６の実施の形態における定形印刷機構部処理のサブルーチンを示す図である。
【符号の説明】
１１    上位装置
１２、７１、８１、１１１    画像形成装置
２１    ＩＪプリンタ機構部
２２    ＳＩＤＭプリンタ機構部
２３、２３ａ、２３ｂ    媒体
３９    ニードルピン
５６    ＳＩＤＭプリンタ機構印刷部
７２    電子写真プリンタ機構部
１１２    定型印刷機構部
【図１】
2004262099.tif 000003
【図２】
2004262099.tif 000004
【図３】
2004262099.tif 000005
【図４】
2004262099.tif 000006
【図５】
2004262099.tif 000007
【図６】
2004262099.tif 000008
【図７】
2004262099.tif 000009
【図８】
2004262099.tif 000010
【図９】
2004262099.tif 000011
【図１０】
2004262099.tif 000012
【図１１】
2004262099.tif 000013
【図１２】
2004262099.tif 000014
【図１３】
2004262099.tif 000015
【図１４】
2004262099.tif 000016
【図１５】
2004262099.tif 000017
【図１６】
2004262099.tif 000018
【図１７】
2004262099.tif 000019
【図１８】
2004262099.tif 000020
【図１９】
2004262099.tif 000021
【図２０】
2004262099.tif 000022
【図２１】
2004262099.tif 000023
【図２２】
2004262099.tif 000024
【図２３】
2004262099.tif 000025
【図２４】
2004262099.tif 000026
【図２５】
2004262099.tif 000027
【図２６】
2004262099.tif 000028
【図２７】
2004262099.tif 000029
【図２８】
2004262099.tif 000030
【図２９】
2004262099.tif 000031
【図３０】
2004262099.tif 000032
【図３１】
2004262099.tif 000033
【図３２】
2004262099.tif 000034
【図３３】
2004262099.tif 000035
【図３４】
2004262099.tif 000036
【図３５】
2004262099.tif 000037
【図３６】
2004262099.tif 000038
【図３７】
2004262099.tif 000039
【図３８】
2004262099.tif 000040
【図３９】
2004262099.tif 000041
【図４０】
2004262099.tif 000042
【図４１】
2004262099.tif 000043
【図４２】
2004262099.tif 000044
【図４３】
2004262099.tif 000045
【図４４】
2004262099.tif 000046
【図４５】
2004262099.tif 000047
【図４６】
2004262099.tif 000048